【手続補正書】
【提出日】平成17年9月15日(2005.9.15)
【手続補正１】
【補正対象書類名】特許請求の範囲
【補正対象項目名】全文
【補正方法】変更
【補正の内容】
【特許請求の範囲】
【請求項１】
表面に酸化物または水酸化物を有する物品の処理方法であって、この処理方法は、
酸触媒の存在下、非プロトン性有機溶媒中で、前記表面をアルコキシシランと接触させ、１つ以上のアミノ、ヒドロキシル、カルボン酸または酸無水物の基を任意で含むアルコキシシラン分子を前記表面の酸化物または水酸化物と反応させて共有結合を形成することにより前記表面を下地処理する工程と、
前記アルコキシシランを介して、前記下地処理した表面に対しポリマーを共有結合させる工程とを含む方法。
【請求項２】
表面を、式（ＲＯ）3Ｓｉ（Ｒ1Ｘ）で表されるアルコキシシランによって下地処理する請求項１に記載の方法。
ここに、式中、Ｒは、メチル、エチルまたはプロピルを表し、Ｒ1は、１つ以上のメチレン基が−ＮＨ−または−Ｏ−、Ｃ2〜Ｃ10のシクロアルキルもしくはシクロアルキルアルキル、Ｃ2〜Ｃ10のアラルキルまたは単環式もしくは二環式アリールによって置換されていてもよいＣ2〜Ｃ10のアルキルを表し、Ｘは、アミノ、ヒドロキシル、カルボン酸、または酸無水物を表す。
【請求項３】
アルコキシシランは、Ｒ1が、１つ以上のメチレン基が任意で−ＮＨ−によって置換されているＣ2〜Ｃ10のアルキルを表し、ＸがＮＨ2を表す化合物である、請求項２に記載の方法。
【請求項４】
アルコキシシランは、Ｎ−（３−（トリメトキシシリル）プロピル）−エチレンジアミンまたはＮ−（トリエトキシシリル）−エチレンジアミンである、前出の請求項のいずれかに記載の方法。
【請求項５】
前記ポリマーは、２つのイソシアネート基を含むものである、前出の請求項のいずれか１項に記載の方法。
【請求項６】
イソシアネート基は、ポリマーのいずれか一方の末端にある、請求項５に記載の方法。
【請求項７】
前記ポリマーは、１モルのジアミンと、２モルのジイソシアネートとの反応生成物であり、各アミン基がイソシアネート基と反応して尿素結合を形成しているものである、請求項５または６に記載の方法。
【請求項８】
前記ジアミンは、下記の式Ａのポリマーである、請求項７に記載の方法。
式Ａ  ：  Ｈ2Ｎ−（ＣＨ2）m−Ｓｉ（Ｒ2）2−Ｏ−［Ｓｉ（Ｒ2）2−Ｏ］n−Ｓｉ（Ｒ2）2−（ＣＨ2）mＮＨ2
ここに、式中、Ｒ2は、１〜３０個の炭素原子を有するアルキル基、アリール基、アルキルアリール基、ポリアルキレンオキシ基、またはハライド基を表し、
ｍは１〜１２の数であり、
ｎは１〜５，０００の数である。
【請求項９】
前記イソシアネートは、下記の式Ｂのポリマーである、請求項７または８に記載の方法。
式Ｂ  ：  ＯＣＮ−Ｒ3−ＮＨＣＯ2−［ＣＨＲ4ＣＨ2−Ｏ］p−ＣＯＮＨ−Ｒ3−ＮＣＯ
ここに、式中、Ｒ3は、１〜１２個の炭素原子を有するアルキルまたはシクロアルキル基、アリール基またはアルキルアリール基を表し、
Ｒ4は、水素、メチル、エチルまたはプロピルを表し、
ｐは１〜２００，０００の数である。
【請求項１０】
Ｒ3はアルキルフェニルである、請求項９に記載の方法。
【請求項１１】
前記ジイソシアネートは、ポリ［１，４フェニレンジイソシアネート−コ−ポリ（１，４−ブタンジオール）］ジイソシアネート：
2005510266.tif 000001
イソホロンジイソシアネート末端ポリ（１，４−ブタンジオール）、
トリレン２，４−ジイソシアネート末端ポリ（１，４−ブタンジオール）、
トリレン２，４−ジイソシアネート末端ポリ（エチレンアジピン酸）、または、
ポリ（テトラフルオロエチレンオキシド−コ−ジフルオロメチレンオキシド）ジイソシアネートである、請求項５〜８のいずれか１項に記載の方法。
【請求項１２】
前記ポリマーは、少なくとも１つのペンダントアルコキシシラン基を含むものである、請求項１〜４のいずれかに記載の方法。
【請求項１３】
前記ポリマーは、それぞれポリマーの各末端に１つずつ、２つのアルコキシシラン基を有するものである請求項１２に記載の方法。
【請求項１４】
前記ポリマーは、ジイソシアネートと、式（ＲＯ）3Ｓｉ（Ｒ1）ＮＨ2の分子との反応生成物である、請求項１３に記載の方法。
ここに、式中、ＲおよびＲ1は請求項２において定義した通りである。
【請求項１５】
前記イソシアネートは、１モルのジアミンと２モルのジイソシアネートとの反応生成物であり、各アミン基がイソシアネート基と反応して尿素結合を形成しているものである、請求項１４に記載の方法。
【請求項１６】
前記ジアミンは、式Ａのポリマーであり、前記ジイソシアネートは、請求項８〜１０のいずれか１項で定義した式Ｂのポリマーである、請求項１５に記載の方法。
【請求項１７】
Ｒはメチルであり、Ｒ1はプロピルである、請求項１４〜１６のいずれか１項に記載の方法。
【請求項１８】
前記ポリマーは、
式Ｃ  ：  ＮＣＯ−Ｒ5−Ｓｉ（ＯＲ6）3
（式中、Ｒ5は１〜６個の炭素原子を有するアルキル基を表し、Ｒ6はメチルまたはエチルを表す）の分子と、
式Ｄ  ：  Ｈ3Ｃ−（Ｒ7）x−（ＣＨＯＨＣＨ2）y−（ＣＨ2ＣＨＯＣＯＲ8）z−ＣＨ3
（式中、Ｒ7およびＲ8は、１〜６個の炭素原子からなるアルキルもしくはシクロアルキル、またはアリールまたはアルキルアリールを独立に表し、Ｒ7およびＲ8の１つ以上の炭素原子がＯ，ＳまたはＮ原子によって置換されていてもよく、ｘ，ｙおよびｚは１〜２００，０００の独立の数である）のポリマーとの反応生成物であり、式Ｃのイソシアネート基が式Ｄのヒドロキシル基と反応してウレタンを形成しているものである、請求項１２に記載の方法。
【請求項１９】
Ｒ5はプロピルであり、Ｒ6はエチルである、請求項１８に記載の方法。
【請求項２０】
Ｒ7は２−プロピル−４−メチル−１，３−ジオキサンを表し、Ｒ8はメチルを表す、請求項１８または１９に記載の方法。
【請求項２１】
式Ｄは、ビニルブチラール、ビニルアルコールおよびビニルアセテートのコポリマーである、請求項１８に記載の方法。
【請求項２２】
前記ポリマーは、炭水化物、ポリアクリル酸、ポリビニルアルコール、高度に分岐したポリマー、抗凝固剤、または抗増殖剤である、請求項１〜４のいずれか１項に記載の方法。
【請求項２３】
前記ポリマーはセルロース系である、請求項２２に記載の方法。
【請求項２４】
アルコキシシランはアミノ基を有し、ポリマーはカルボキシメチルセルロースであることを特徴とする請求項２３に記載の方法。
【請求項２５】
前記ポリマーはヘパリンである、請求項２２に記載の方法。
【請求項２６】
抗増殖剤はミトキサントロン、タキソール、放射性同位体でラベルされた材料である、請求項２２に記載の方法。
【請求項２７】
（ａ）アミノ基を有する前記アルコキシシランとの接触によって表面に下地処理をなし、
（ｂ）下地処理された表面を、イソシアネート基およびペンダントアルコキシシラン基を有する分子と反応させ、イソシアネート基と前記アミノ基とを反応させて尿素結合を形成し、
（ｃ）少なくとも１つのペンダントヒドロキシル基を有するポリマーを、ヒドロキシル基と前記ペンダントアルコキシシラン基との反応によって表面に共有結合させる、請求項１〜４のいずれか１項に記載の方法。
【請求項２８】
表面にアミノ基を有する物品の処理方法であって、この方法は、
（ａ）表面を、イソシアネート基およびペンダントアルコキシシラン基を有する分子と反応させ、イソシアネート基と前記アミノ基とを反応させて尿素結合を形成する工程と、
（ｂ）少なくとも１つのペンダントヒドロキシル基を有するポリマーを、ヒドロキシル基と前記ペンダントアルコキシシラン基との間の反応によって表面に共有結合させる工程とを含む方法。
【請求項２９】
イソシアネート基およびペンダントアルコキシシラン基を有する分子は、請求項１８または１９で定義した式Ｃのものである、請求項２７または２８に記載の方法。
【請求項３０】
少なくとも１つのペンダントヒドロキシル基を有するポリマーは、請求項１８，２０または２１に定義した式Ｂのものである、請求項２７〜２９のいずれか１項に記載の方法。
【請求項３１】
表面にアミノ基を有する物品の処理方法であって、この方法は、
前記表面にポリマーを共有結合させる工程を含み、このポリマーは請求項５〜１１のいずれか１項に定義したポリマーである、方法。
【請求項３２】
表面に酸化物または水酸化物を有する物品の処理方法であって、この方法は、
ポリマーを前記表面に共有結合させる工程を含み、
該ポリマーは、請求項１２〜２１のいずれか１項で定義した前記ポリマーであることを特徴とする方法。
【請求項３３】
生物活性化合物は、前記下地処理された表面に結合される前に、前記ポリマーと混合される、前出の請求項のいずれか１項に記載の方法。
【請求項３４】
前記ポリマーが表面に結合された後に、前記ポリマー内の官能基の間で架橋が形成される、請求項３３に記載の方法。
【請求項３５】
前記ポリマーが表面に結合された後に、前記ポリマー内の官能基の間で架橋が形成され、次に、生物活性物質をポリマー被膜に取り込むために、ポリマー被膜が、生物活性化合物の溶液中で膨潤される、請求項１〜３２のいずれか１項に記載の方法。
【請求項３６】
生物活性物質の放出特性は、表面被覆内に、親水性部分、疎水性部分、コポリマー部分、またはそれらの組み合わせを取り入れることによって制御される、請求項３３〜３５のいずれか１項に記載の方法。
【請求項３７】
前記生物活性物質は、抗増殖剤、免疫抑制剤、抗分裂剤、抗炎症剤、金属プロテアーゼ阻害剤、ＮＯドナー、エストラジオール類、抗硬化症剤、遺伝子、細胞、アンチセンス薬、抗腫瘍薬、抗トロンビン薬、または遊走阻害剤である、請求項３３〜３６のいずれか１項に記載の方法。
【請求項３８】
前記生物活性物質は、コルヒチン、ラパマイシン、またはミトキサントロンである、請求項３３〜３６のいずれか１項に記載の方法。
【請求項３９】
物品は、ステンレス鋼またはニタノールからなる、前出の請求項のいずれかに記載の方法。
【請求項４０】
物品は、冠状動脈ステントまたは末梢ステントである、前出の請求項のいずれか１項に記載の方法。
【請求項４１】
前出の請求項のいずれか１項に記載の処理方法によって得られる物品。